(57)【要約】【課題】雨水等の水に同伴し流れ込むごみ等の異物がスクリーン上面を覆って、スクリーンを閉塞することなく、長時間に亘って雨水を側溝や排水溝、集水口に流し込むことができる排水用スクリーン及び排水設備を提供すること。【解決手段】道路側溝又は排水溝又は集水口１等の雨水等の水が流れ込む水流れ込み場所に設置され、該水流れ込み場所に水に同伴されて流れ込むごみ等の異物を除去する排水用スクリーン２０であって、排水用スクリーン２０を水流れ込み場所に設置した時、該排水用スクリーン２０の水流れ込み面に水平面２１と傾斜面を設けて高低差がつくように構成した。【選択図】図３
2005155149.tif 000002
【特許請求の範囲】
【請求項１】
道路側溝又は排水溝又は集水口等の雨水等の水が流れ込む水流れ込み場所に設置され、該水流れ込み場所に水に同伴されて流れ込むごみ等の異物を除去する排水用スクリーンであって、
前記排水用スクリーンを前記水流れ込み場所に設置した時、該排水用スクリーンの水流れ込み面に高低差がつくように構成したことを特徴とする排水用スクリーン。
【請求項２】
請求項１に記載の排水用スクリーンにおいて、
前記スクリーンの水流れ込み面の高低差は一つの傾斜面、又は一つの傾斜面と一つの水平面の組み合わせ、複数の傾斜面と複数の水平面の組み合わせ、複数の水平面と一つ又は複数の傾斜面と一つ又は複数の垂直面の組み合わせ、複数の傾斜面の組み合わせ、複数の水平面と複数の垂直面の組み合わせ、及び一つ又は複数の曲面の組み合わせのいずれか一つ又は２つ以上の組み合わせで形成することを特徴とする排水用スクリーン。
【請求項３】
排水ポンプを具備し、所定の場所に収集された雨水を該排水ポンプにより排水する排水設備において、
前記雨水は請求項１又は２に記載の排水用スクリーンを設置した道路側溝又は排水溝を通して前記所定の場所に収集されたことを特徴とする排水設備。
【発明の詳細な説明】
【技術分野】
【０００１】
本発明は道路側溝又は排水溝又は集水口等の雨水等の水を集めて流し込む水の流れ込み場所に設置され、該場所に流れ込む雨水等の水に同伴されて流れ込むごみ等の異物を除去する排水用スクリーン及び排水用スクリーンを設置した道路側溝、排水溝、集水口を通して収集された雨水を排水する排水設備に関するものである。
【背景技術】
【０００２】
アンダーパスなどの道路設備には、道路面に降った雨水を集水するために側溝が設けられ、該側溝を通して集水された雨水は排水溝に流れ込み、該排水溝から集水口を通して図１５に示す排水ポンプ設備の雨水流入槽１００に雨水流入口１００ａを通して流れ込む。そして該雨水流入槽１００に設置された排水ポンプ（水中ポンプ）１０１により、吐出配管１０２、ヘッダー管１０３、及び配水管１０４を通して排水されるようになっている。なお、図１５において、１０５は自閉逆止弁、１０６は手動仕切弁、１０７は弁操作室、１０８は機械室、１０９はディーゼルエンジン、１１０は発電機である。
【０００３】
上記側溝又は排水溝には雨水に混入してごみ等の異物が流入するのを防止するため、排水用スクリーンが設置され、該排水用スクリーンを通過してごみ等の異物が除去された雨水が側溝又は排水溝、集水口を通して雨水流入槽１００に流れ込むようになっている。
【０００４】
従来この種の排水用スクリーン１０は上面（水流れ込み面）が平坦面で、図１、図２に示すように集水口１、側溝又は排水溝２に上面が水平になるように設置されている。
【発明の開示】
【発明が解決しようとする課題】
【０００５】
上記のように、集水口１、側溝又は排水溝２に設置された排水用スクリーン１０は該排水用スクリーン１０の上面が水平になるように設置しているため、集水口１、側溝又は排水溝２に雨水が排水用スクリーン１０の上面の全面に亘って流れ込み、多量に流れ込むと、ごみ等の異物１１が排水用スクリーン１０の上面全体を覆ってしまい、該異物１１が排水用スクリーン１０の上面を閉塞してしまうという問題があった。その結果、排水ポンプ設備に雨水が流れ込むことができず、浸水被害が多発するという問題があった。
【０００６】
本発明は上述の点に鑑みてなされたもので、上記問題点を除去し、雨水等の水に同伴し流れ込むごみ等の異物がスクリーン上面を覆って、スクリーンが閉塞されることなく、長時間に亘って雨水を側溝や排水溝、集水口に流し込むことができる排水用スクリーン及び該排水用スクリーンを設置した道路側溝、排水溝、集水口を通して収集された雨水を排水する排水設備を提供することを目的とする。
【課題を解決するための手段】
【０００７】
上記課題を解決するため請求項１に記載の発明は、道路側溝又は排水溝又は集水口等の雨水等の水が流れ込む水流れ込み場所に設置され、該水流れ込み場所に水に同伴されて流れ込むごみ等の異物を除去する排水用スクリーンであって、排水用スクリーンを水流れ込み場所に設置した時、該排水用スクリーンの水流れ込み面に高低差がつくように構成したことを特徴とする。
【０００８】
請求項２に記載の発明は、請求項１に記載の排水用スクリーンにおいて、スクリーンの水流れ込み面の高低差は一つの傾斜面、又は一つの傾斜面と一つの水平面の組み合わせ、複数の傾斜面と複数の水平面の組み合わせ、複数の水平面と一つ又は複数の傾斜面と一つ又は複数の垂直面の組み合わせ、複数の傾斜面の組み合わせ、複数の水平面と複数の垂直面の組み合わせ、及び一つ又は複数の曲面の組み合わせのいずれか一つ又は２つ以上の組み合わせで形成することを特徴とする。
【０００９】
請求項３に記載の発明は、排水ポンプを具備し、所定の場所に収集された雨水を該排水ポンプにより排水する排水設備において、雨水は請求項１又は２に記載の排水用スクリーンを設置した道路側溝又は排水溝を通して所定の場所に収集されたことを特徴とする。
【発明の効果】
【００１０】
請求項１及び２に記載の発明によれば、排水用スクリーンを水流れ込み場所に設置したときその水流れ込み面に高低差がつくように構成したので、排水用スクリーンの水流れ込み面の高低の低い部分にごみ等の異物が詰まっても、高い部分はまだ異物で覆われておらず、ここを通して雨水が流れ込むから、長時間に亘って雨水が水流れ込み場所、即ち道路側溝又は排水溝、集水口に流れ込み、浸水被害を減少させることができる。
【００１１】
請求項３に記載の発明によれば、請求項１又は２に記載の排水用スクリーンを設置した道路側溝又は排水溝を通して雨水は収集されるので、道路側溝、排水溝、及び集水口は長時間に亘り雨水が流れ込むことが可能となり、排水ポンプ設備が長時間有効に稼働し、その分浸水の発生する恐れが少なくなる
【発明を実施するための最良の形態】
【００１２】
以下、本発明の実施の形態例を図面に基づいて説明する。図３は本発明に係る排水用スクリーンを集水口に設置した場合の集水口の断面図である。図示するように、集水口１に上面（水流れ込み面）が水平面２１と傾斜面２２の組み合わせで形成された排水用スクリーン２０が設置されている。集水口１にこのような排水用スクリーン２０を設置することにより、雨水が集水口１内に流れ込むと、先ず高低の低い水平面２１の部分にごみ等の異物１１が集まりこの部分を異物１１で覆ってしまう。このように水平面２１の部分がごみ等の異物１１で覆われても傾斜面２２の部分はまだ異物１１で覆われていないから、この部分を通って雨水Ｗが集水口１に流れ込む。従って、水流れ込み面が水平面である従来の排水用スクリーンに比べ長時間に亘り雨水が集水口１に流れ込むことが可能となり、その分浸水の発生する恐れが少なくなる。
【００１３】
なお、上記例では排水用スクリーン２０を集水口１に設置する例を示したが、この水流れ込み面に高低差の付いた排水用スクリーン２０は道路側溝や排水溝に設置しても上記と同様の作用効果を奏することは当然である。
【００１４】
上記例では、水平面２１と傾斜面２２の組み合わせで排水用スクリーン２０の水流れ込み面に高低差を設けたが、水流れ込み面に高低差を設ける構成としては、図５乃至図１４に示すような構成でもよい。即ち、図５は１つの傾斜面２３で水流れ込み面に高低差を設け排水用スクリーン２０を集水口１に設置した例を示す。
【００１５】
また、図６は２つの傾斜面２４と２つの水平面２５の組み合わせで１つの山形状面とその両側に平坦面を形成して水流れ込み面に高低差を設けた排水用スクリーン２０を構成し、該排水用スクリーン２０を集水口１に設置した例を示す。
【００１６】
また、図７は１つの傾斜面２４と１つの垂直面２６と２つの水平面２５の組み合わせで１つの山形状面とその両側に平坦面を形成して水流れ込み面に高低差を設けた排水用スクリーン２０を構成し、該排水用スクリーン２０を集水口１に設置した例を示す。
【００１７】
また、図８は２つの傾斜面２４で１つの山形状面を形成して水流れ込み面に高低差を設けた排水用スクリーン２０を構成し、該排水用スクリーン２０を集水口１に設置した例を示す。
【００１８】
また、図９は３つの水平面２５と２つの垂直面２６の組み合わせで１つの矩形状の突起面とその両側に平坦面を形成して水流れ込み面に高低差を設けた排水用スクリーン２０を構成し、該排水用スクリーン２０を集水口１に設置した例を示す。
【００１９】
また、図１０は３つの水平面２５と２つの傾斜面２４の組み合わせで１つの台形状の突起面とその両側に平坦面を形成して水流れ込み面に高低差を設けた排水用スクリーン２０を構成し、該排水用スクリーン２０を集水口１に設置した例を示す。
【００２０】
また、図１１は５つの水平面２５と４つの垂直面２６の組み合わせで２つの矩形状の突起面とその間と両側に平坦面を形成して水流れ込み面に高低差を設けた排水用スクリーン２０を構成し、該排水用スクリーン２０を集水口１に設置した例を示す。
【００２１】
また、図１２は４つの傾斜面２４と２つの水平面２５の組み合わせで２つの山形状面とその両側に平坦面を形成して水流れ込み面に高低差を設けた排水用スクリーン２０を構成し、該排水用スクリーン２０を集水口１に設置した例を示す。
【００２２】
また、図１３は１つの曲面２７と１つの曲面状の突起面を形成して水流れ込み面に高低差を設けた排水用スクリーン２０を構成し、該排水用スクリーン２０を集水口１に設置した例を示す。
【００２３】
また、図１４は２つの曲面２７と２つの曲面状の突起面を形成して水流れ込み面に高低差を設けた排水用スクリーン２０を構成し、該排水用スクリーン２０を集水口１に設置した例を示す。
【００２４】
図３乃至図１４に示す排水用スクリーン２０は、本発明に係る排水用スクリーンの一例であり、本願発明はこれに限定されるものではなく、要は水流れ込み場所に設置した時、排水用スクリーンの水流れ込み面に高低差が付くような構成であれば、どのような構成であってもよい。なお、図３乃至図１４は排水用スクリーン２０を集水口１に設置する例を示したが、この水流れ込み面に高低差の付いた排水用スクリーン２０は道路側溝や排水溝に設置してもよいことは当然である。
【００２５】
上記構成の排水用スクリーン２０を設置した道路側溝や排水溝を通して集められた雨水を排水用スクリーン２０を設置した集水口を通し、図１５に示すような排水ポンプ設備の雨水流入槽１００に集水するようにすると、道路側溝、排水溝、及び集水口は従来の水流れ込み面が水平面である排水用スクリーンを設置したものに比べ長時間に亘り雨水が流れ込むことが可能となり、排水ポンプ設備が長時間有効に稼働し、その分浸水の発生する恐れが少なくなる
【００２６】
以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００２７】
【図１】従来の排水用スクリーンを集水口に設置した構成例を示す断面図である。
【図２】従来の排水用スクリーンを側溝又は排水溝に設置した構成例を示す断面図である。
【図３】本発明に係る排水用スクリーンを集水口に設置した構成例を示す断面図である。
【図４】本発明に係る排水用スクリーンを集水口に設置した構成例を示す断面図である。
【図５】本発明に係る排水用スクリーンを集水口に設置した構成例を示す断面図である。
【図６】本発明に係る排水用スクリーンを集水口に設置した構成例を示す断面図である。
【図７】本発明に係る排水用スクリーンを集水口に設置した構成例を示す断面図である。
【図８】本発明に係る排水用スクリーンを集水口に設置した構成例を示す断面図である。
【図９】本発明に係る排水用スクリーンを集水口に設置した構成例を示す断面図である。
【図１０】本発明に係る排水用スクリーンを集水口に設置した構成例を示す断面図である。
【図１１】本発明に係る排水用スクリーンを集水口に設置した構成例を示す断面図である。
【図１２】本発明に係る排水用スクリーンを集水口に設置した構成例を示す断面図である。
【図１３】本発明に係る排水用スクリーンを集水口に設置した構成例を示す断面図である。
【図１４】本発明に係る排水用スクリーンを集水口に設置した構成例を示す断面図である。
【図１５】本発明に係る排水設備の構成例を示す断面図である。
【符号の説明】
【００２８】
１      集水口
２      側溝又は排水溝
２０    排水用スクリーン
２１    水平面
２２    傾斜面
２３    傾斜面
２４    傾斜面
２５    水平面
２６    垂直面
２７    曲面
【図１】
2005155149.tif 000003
【図２】
2005155149.tif 000004
【図３】
2005155149.tif 000005
【図４】
2005155149.tif 000006
【図５】
2005155149.tif 000007
【図６】
2005155149.tif 000008
【図７】
2005155149.tif 000009
【図８】
2005155149.tif 000010
【図９】
2005155149.tif 000011
【図１０】
2005155149.tif 000012
【図１１】
2005155149.tif 000013
【図１２】
2005155149.tif 000014
【図１３】
2005155149.tif 000015
【図１４】
2005155149.tif 000016
【図１５】
2005155149.tif 000017